(57)【要約】【課題】発光装置の組立性に優れ、かつリード線と閃光放電管の電極部との半田部を静電気から安定して保護する仕組みを提供する。【解決手段】発光装置は、リード線が接続される電極部を有する閃光放電管４０と、閃光放電管４０の発光光を被写体側へ反射するリフレクタ４１と、リフレクタ４１での反射光を拡散するストロボパネル４２と、ストロボパネル４２を保持するストロボベース４４と、閃光放電管４０、リフレクタ４１、及びストロボパネル４２を覆うようにストロボベース４４に取り付けられるストロボカバー４７とを備える。ストロボベース４４とストロボカバー４７との合わせ部及びストロボベース４４とストロボパネル４２との合わせ部にそれぞれ形成される隙間４８ａ，４８ｂと、閃光放電管４０の電極部との間を遮るように非導電性の弾性ケース４９が設けられ、弾性ケース４９と閃光放電管４０の電極部との間に、電極部を密閉するように非導電性の弾性接着剤５０が設けられる。【選択図】図５
2015092230.tif 000002
【特許請求の範囲】
【請求項１】
リード線が接続される電極部を有する発光素子と、
前記発光素子による発光光を拡散させるパネル部材と、
前記パネル部材を保持するベース部材と、
前記発光素子および前記パネル部材を覆うように前記ベース部材に取り付けられるカバー部材と、
非導電性材料で形成され、前記ベース部材と前記カバー部材との合わせ部に形成される第１の隙間と前記発光素子の電極部との間を遮る遮蔽部材とを備え、
前記遮蔽部材は、前記ベース部材と前記パネル部材との合わせ部に形成される第２の隙間と前記発光素子の電極部との間を遮り、
前記遮蔽部材と前記発光素子の電極部との間に、前記電極部を密閉するように非導電性の接着剤が充填されていることを特徴とする発光装置。
【請求項２】
前記ケース部材は、前記パネル部材および前記ベース部材にそれぞれ形成された溝に嵌め込まれて固定されていることを特徴とする請求項１に記載の発光装置。
【請求項３】
前記ケース部材は、弾性と耐熱性を有する材料で形成されていることを特徴とする請求項１または２に記載の発光装置。
【請求項４】
リード線が接続される電極部を有する発光素子と、
非導電性材料で形成され、前記発光素子の発光光を拡散させるパネル部材と、
前記パネル部材を保持するベース部材と、
前記発光素子および前記パネル部材を覆うように前記ベース部材に取り付けられるカバー部材とを備え、
前記パネル部材には、遮蔽部が一体に形成されており、
前記遮蔽部は、前記ベース部材と前記カバー部材との合わせ部に形成される第１の隙間と前記発光素子の電極部との間を遮り、
前記遮蔽部は、前記ベース部材と前記パネル部材との合わせ部に形成される第２の隙間と前記発光素子の電極部との間を遮り、
前記遮蔽部と前記発光素子の電極部との間に、前記電極部を密閉するように非導電性の接着剤が充填されていることを特徴とする発光装置。
【請求項５】
リード線が接続される電極部を有する発光素子と、
前記発光素子による発光光を拡散させるパネル部材と、
前記パネル部材を保持するベース部材と、
前記発光素子および前記パネル部材を覆うように前記ベース部材に取り付けられるカバー部材と、
非導電性材料で形成され、前記ベース部材と前記カバー部材との合わせ部に形成される第１の隙間と前記発光素子の電極部との間を遮る遮蔽部材とを備え、
前記遮蔽部材は、前記ベース部材と前記パネル部材との合わせ部に形成される第２の隙間と前記発光素子の電極部との間を遮り、
前記遮蔽部材と前記発光素子の電極部との間に、前記電極部を密閉するように非導電性の接着剤が充填されていることを特徴とする撮像装置。
【請求項６】
前記ケース部材は、前記パネル部材および前記ベース部材にそれぞれ形成された溝に嵌め込まれて固定されていることを特徴とする請求項５に記載の撮像装置。
【請求項７】
前記ケース部材は、弾性と耐熱性を有する材料で形成されていることを特徴とする請求項５または６に記載の撮像装置。
【請求項８】
リード線が接続される電極部を有する発光素子と、
非導電性材料で形成され、前記発光素子の発光光を拡散させるパネル部材と、
前記パネル部材を保持するベース部材と、
前記発光素子および前記パネル部材を覆うように前記ベース部材に取り付けられるカバー部材と、
前記パネル部材には、遮蔽部が一体に形成されており、
前記遮蔽部は、前記ベース部材と前記カバー部材との合わせ部に形成される第１の隙間と前記発光素子の電極部との間を遮り、
前記遮蔽部は、前記ベース部材と前記パネル部材との合わせ部に形成される第２の隙間と前記発光素子の電極部との間を遮り、
前記遮蔽部と前記発光素子の電極部との間に、前記電極部を密閉するように非導電性の接着剤が充填されていることを特徴とする撮像装置
【発明の詳細な説明】
【技術分野】
【０００１】
本発明は、例えばデジタルカメラやデジタルビデオカメラ等の撮像装置に搭載される発光装置及び発光装置を備える撮像装置に関する。
【背景技術】
【０００２】
デジタルカメラやデジタルビデオカメラ等の撮像装置に搭載されるストロボ装置は、閃光放電管、閃光放電管の発光光を被写体側へ反射するリフレクタ、及びリフレクタの反射光を拡散させるストロボパネルがストロボベースに設けられ、ストロボカバーで覆われる。閃光放電管の電極部には、通電用のリード線が半田で取り付けられている。
【０００３】
ところで、近年の撮像装置の小型化に伴うストロボ装置の小型化によって、ストロボカバーとストロボベースの合わせ部の隙間と閃光放電管の電極部との距離が短くなっており、外部からの静電気が閃光放電管の電極部にショートしやすくなってきている。そのため、外部からの静電気によるショートを防ぐため、閃光放電管の電極部を保護する技術が考えられている。
【０００４】
例えば、チューブ状の弾性部材にリード線を通し、閃光放電管の電極部との半田部で弾性部材を加熱収縮させて電極部を絶縁保護する技術や、リード線と閃光放電管の電極部との半田部にシリコン接着材を固着する技術が提案されている（例えば、特許文献１参照）。
【０００５】
また、伸縮性に優れた絶縁材料で、閃光放電管の電極部が嵌まる孔を設けた保持部と、該穴の近傍から延びた囲い形状とを一体に形成し、電極部を保持すると同時に半田部を保護する技術が提案されている（例えば、特許文献２参照）。
【先行技術文献】
【特許文献】
【０００６】
【特許文献１】特開昭６１-１３５４４号公報
【特許文献２】特開２００５-６３６８８号公報
【発明の概要】
【発明が解決しようとする課題】
【０００７】
しかし、上記特許文献１では、組立性が悪いといった問題がある。たとえば、チューブ状の弾性部材で閃光放電管の電極部を保護する技術は、チューブ状の弾性部材をリード線に通す作業に時間がかかるだけでなく、チューブ状の弾性部材が作業中に破けてしまうなどの問題がある。また、シリコン接着材を固着する技術では、半田部を確実に覆うようにシリコン接着材を塗布して、目視で接着量を管理しなければならず、作業者により静電気耐性の品質が一定に保てない問題がある。
【０００８】
一方、特許文献２では、伸縮性に優れた絶縁材料で電極部を保持すると同時に半田部を保護するため、組立性は容易であるが、半田部を囲うのみなので静電気に対する保護性は上記特許文献１より劣るという問題がある。
【０００９】
本発明は、発光装置の組立性に優れ、かつリード線と閃光放電管の電極部との半田部を静電気から安定して保護する仕組みを提供することを目的とする。
【００１０】
上記目的を達成するために、本発明の発光装置は、リード線が接続される電極部を有する発光素子と、前記発光素子による発光光を拡散させるパネル部材と、前記パネル部材を保持するベース部材と、前記発光素子および前記パネル部材を覆うように前記ベース部材に取り付けられるカバー部材と、非導電性材料で形成され、前記ベース部材と前記カバー部材との合わせ部に形成される第１の隙間と前記発光素子の電極部との間を遮る遮蔽部材とを備え、前記遮蔽部材は、前記ベース部材と前記パネル部材との合わせ部に形成される第２の隙間と前記発光素子の電極部との間を遮り、前記遮蔽部材と前記発光素子の電極部との間に、前記電極部を密閉するように非導電性の接着剤が充填されていることを特徴とする。
【発明の効果】
【００１１】
本発明によれば、発光装置の組立性に優れ、かつリード線と閃光放電管の電極部との半田部を静電気から安定して保護する仕組みを提供することができる。
【図面の簡単な説明】
【００１２】
【図１】本発明の発光装置の実施形態の一例であるストロボ装置が搭載されたデジタル一眼レフカメラの概略ブロック図である。
【図２】（ａ）はストロボ装置が搭載されたデジタル一眼レフカメラのカメラ本体を正面側から見た斜視図であり、（ｂ）は（ａ）に示すカメラ本体のストロボ装置が発光位置にアップした状態を示す斜視図である。
【図３】ストロボポップアップ手段の概略図である。
【図４】ストロボ装置が発光位置にアップした状態を正面側から見た図である。
【図５】（ａ）は図４のＡ−Ａ線断面図、（ｂ）は図４のＢ−Ｂ線断面図で、各々閃光放電管電極部半田保護のための遮蔽部材を非導電性ケース部材で形成している場合の図である。
【図６】図５（ａ）の要部拡大図である。
【図７】図４のＡ−Ａ線断面図である。
【図８】は、ストロボパネルが、閃光放電管電極部半田保護のための遮蔽部と一体に形成されている場合の図７の要部拡大図である。
【発明を実施するための形態】
【００１３】
以下、本発明の実施形態の一例を図面を参照して説明する。
【００１４】
図１は、本発明の実施形態の一例である発光装置としてのストロボ装置が搭載されたデジタル一眼レフカメラの概略ブロック図である。図２（ａ）はレンズユニット２が取り外された状態のストロボ装置が搭載されたデジタル一眼レフカメラのカメラ本体１を正面側から見た斜視図、図２（ｂ）は図２（ａ）に示すカメラ本体１のストロボ装置が発光位置にアップした状態を示す斜視図である。なお、本実施形態では、撮像装置の一例としてレンズユニット２が交換可能なデジタル一眼レフカメラを説明するが、撮像装置はこれに限定されない。
【００１５】
本実施形態のデジタル一眼レフカメラは、図１及び図２に示すカメラ本体１の正面側（被写体側）にレンズユニット２が交換可能に設けられ、レンズユニット２から入射した光は、撮像手段３に結像する。撮像手段３は、ＣＣＤセンサやＣＭＯＳセンサ等で構成され、レンズユニット２の少なくとも光軸方向に位置調整可能にカメラ本体１に保持されている。
【００１６】
レンズユニット２と撮像手段３との間には、メインミラー５、サブミラー１０、及びシャッタ６が配置されている。メインミラー５で反射された光は、焦点板７に結像されてペンタプリズム８により光学ファインダ４へ導かれるとともに、露出検出手段９へ分光される。また、メインミラー５は、ハーフミラーとなっており、透過した一部の光はメインミラー５に回動可能に取り付けられたサブミラー１０で反射され、焦点検出手段１１に入射する。
【００１７】
ユーザがレリーズ釦１２を半押し（ＳＷ１）すると、露出検出手段９による測光、焦点検出手段１１による測距、及びレンズユニット２のレンズ駆動手段１３によるフォーカスレンズ１４の駆動が開始される。ユーザがレリーズ釦１２を全押し（ＳＷ２）すると、メインミラー５およびシャッタ６が駆動し、レンズユニット２からの光が撮像手段３へ入射する。
【００１８】
そして、撮像手段３は、電荷蓄積および電荷読み出し動作を開始させる露光動作を行う。撮像手段３から出力されたアナログ画像データは、Ａ／Ｄ変換回路２３でデジタル画像データに変換され、画像処理回路２４で所定の画像処理が施された後、画像記録読込手段１５に装着されている記録媒体１６に撮影画像が記録保存される。記録媒体１６に保存された画像は、画像再生釦１７を押すことで、表示装置１８に表示される。
【００１９】
システム制御回路１９は、カメラ全体の制御を司る。システム制御回路１９は、ＣＰＵやＭＰＵ等により構成され、各回路等の動作を制御する。測距が開始されると、システム制御回路１９は、焦点検出ユニット１１からの出力をもとにレンズ駆動手段１３を制御し、フォーカスレンズ１４を光軸方向に駆動して合焦動作を行う。また、システム制御回路１９は、露光制御部２０によりレンズユニット２の絞り２１、メインミラー５、シャッタ６、及びタイミングジェネレータ２２を制御する。なお、タイミングジェネレータ２２及びＡ／Ｄ変換回路２３は、実装基板６０に実装される。
【００２０】
メインミラー５は、撮影光路から退避するミラーアップ位置に移動可能で、サブミラー１０も、メインミラー５に対して折り畳まれて撮影光路から退避するミラーアップ位置に移動可能である。シャッタ６は、先幕および後幕を有し、レンズユニット２からの光束の透過および遮断を制御する。測光が開始されると、システム制御回路１９は、露出検出手段９からの出力とユーザが事前に設定した撮影条件に応じて絞りおよびシャッタスピードの値を決定する。
【００２１】
レリーズ釦１２（ＳＷ２）の操作により撮影動作が開始されると、システム制御回路１９は、露光制御部２０により絞り２１を決定された値に制御する。また、システム制御回路１９は、決定されたシャッタスピードに応じて露光制御部２０によりメインミラー５およびサブミラー１０をミラーアップさせ、シャッタ６の先幕および後幕の走行駆動を制御する。また、システム制御回路１９は、露光制御部２０によりタイミングジェネレータ２２から撮像ユニット３を駆動する際に必要なパルス信号を出力させる。
【００２２】
撮像ユニット３は、タイミングジェネレータ２２から出力されたパルス信号に応じて電荷蓄積および電荷読み出し動作を行う。撮像ユニット３から読み出された電荷は、Ａ／Ｄ変換回路２３によりデジタル化され、デジタルデータとして画像処理回路２４へ送られる。送られたデジタルデータは、画像処理回路２４の画像処理部２５によりホワイトバランス調整や画像圧縮処理等が施され、記録制御部２６により画像記録読込手段１５を介してメモリカード等の記録媒体１６に画像データとして保存される。
【００２３】
記録媒体１６に保存された画像データは、画像再生釦１７を押すことで、画像記録読込手段１５により画像処理回路２４の表示制御部２７に読み込まれ、Ｄ／Ａ変換回路２８によりアナログ化されて表示装置１８に表示される。
【００２４】
次に、撮影条件の設定方法について説明する。操作部材である撮影モード選択手段２９は、撮影モードを設定することができ、例えば自動露出モード、絞り優先露出モード（Ａｖ）、シャッタスピード優先露出モード（Ｔｖ）、マニュアルモード（Ｍ）、バルブモード（Ｂ）を設定できる。自動露出モードに設定した場合は、ダイヤル操作部材である露出設定手段３０により撮影者が任意に適正露出を補正することができ、絞り値およびシャッタスピードは、撮影時にその適正露出になるように自動で決定される。
【００２５】
絞り優先露出モード（Ａｖ）、シャッタスピード優先露出モード（Ｔｖ）、マニュアルモード（Ｍ）を設定した場合は、絞り設定手段３１およびシャッタスピード設定手段３２により、絞り値およびシャッタスピードを任意に設定できる。バルブモードを設定した場合は、レリーズ釦１２（ＳＷ２）を押すと、撮影を開始し、レリーズ釦１２（ＳＷ２）を押している間は、露光し続け、レリーズ釦１２（ＳＷ２）を離すと露光終了し、撮影中にシャッタスピードが決定できる。
【００２６】
次に、図１、図３乃至図６を参照して、発光装置としてのストロボ装置３３について説明する。図３は、ストロボポップアップ手段３４の概略図である。図４は、ストロボ装置３３が発光位置にアップした状態を正面側から見た図である。図５（ａ）は図４のＡ−Ａ線断面図、図５（ｂ）は図４のＢ−Ｂ線断面図である。図６は、図５（ａ）の要部拡大図である。
【００２７】
ストロボポップアップユニット３４は、ストロボ装置３３を開閉させるためのもので、図３に示すように、ストロボ装置３３を閉じた状態（図２（ａ））で固定するための緊定レバー３５を備える。緊定レバー３５は、コイルバネ３６によってストロボ装置３３が閉じられる方向に付勢されている。また、ストロボポップアップユニット３４は、ソレノイド３７を有する。ソレノイド３７は、永久磁石、コイル、及び可動部である磁性体のチップから構成され、コイルへの通電がなされていない状態では永久磁石の磁力でチップは固定されている。
【００２８】
操作部材であるストロボポップアップ釦３６ａがユーザに押されると、コイルへの通電がなされて永久磁石の磁力が無効化され、コイルバネ３８の付勢力によりチップが可動する。可動したチップは、緊定レバー３５を回転させてストロボ装置３３のストロボベース４４に対する緊定を解除する。これにより、ストロボ装置３３は、ストロボアップバネ３９の付勢力により発光位置へアップする。ストロボベース４４は、本発明のベース部材として機能する。 
【００２９】
レリーズ釦１２（ＳＷ２）の操作により撮影動作が開始されると、システム制御回路１９は、露光制御部２０によりストロボ装置３３の発光量と絞り値とシャッタスピードとを適正露出になるように制御し、ストロボ装置３３を発光させると共に撮像ユニット３を露光させる。また、システム制御回路１９は、自動露出モードの場合、露出検出ユニット９により被写体が所定の輝度以下であると判定すると、自動でストロボ装置３３のストロボベース４４に対する緊定を解除し、ストロボ装置３３を発光位置へアップする。ストロボ装置３３を収納位置へ閉じるときは、ユーザが手動で行う。
【００３０】
図５に示すように、ストロボ装置３３は、通電されることにより発光する閃光放電管４０と、閃光放電管４０の発光光を被写体側へ反射するリフレクタ４１と、反射光を拡散するストロボパネル４２とを有する。ストロボパネル４２の光が透過する箇所は、フレネル形状とされ、これにより、被写体に対して光が略均等に拡散する。ストロボパネル４２は、本発明のパネル部材として機能する。閃光放電管４０の両端に設けられた電極部４０ａには、それぞれリード線４５ａ，４５ｂが半田付けされている。リード線４５ａ，４５ｂは、不図示のコンデンサに接続されている。
【００３１】
また、閃光放電管４０には、不図示のトリガーコンデンサに接続されるトリガー電極４６が設けられる。閃光放電管４０を発光させる際は、トリガー電極４６からの放電により閃光放電管４０内のキセノンガスがイオン化することで、リード線４５ａ，４５ｂが接続される閃光放電管４０の電極部４０ａからコンデンサの電荷が放電されて発光する。
【００３２】
閃光放電管４０は、弾性部材４３によりリフレクタ４１に固定されている。リフレクタ４１は、ストロボパネル４２に接着等により固定される。ストロボパネル４２は、ストロボベース４４の両端４４ａ，４４ｂに接着等により固定されてストロボベース４４に保持される。ストロボベース４４には、ストロボカバー４７が取り付けられる。ストロボカバー４７は、本発明のカバー部材として機能する。
【００３３】
ストロボカバー４７は、閃光放電管４０、リフレクタ４１、及びストロボパネル４２を覆うようにストロボベース４４に取り付けられる。このように、ストロボパネル４２、ストロボベース４４、及びストロボカバー４７により囲まれる空間に、閃光放電管４０やリフレクタ４１等が配置される。
【００３４】
ところで、図５（ａ）に示すように、ストロボベース４４とストロボカバー４７との合わせ部には、隙間４８ａが形成され、また、ストロボベース４４とストロボパネル４２との合わせ部には、隙間４８ｂが形成される。このため、隙間４８ａ，４８ｂから侵入した静電気が閃光放電管４０の電極部４０ａへ到達し、カメラ内部の回路をショートさせてしまうおそれがある。そこで、本実施形態では、閃光放電管４０の電極部４０ａに、非導電性の弾性ケース４９を設けている。弾性ケース４９は、本発明のケース部材として機能する。
【００３５】
弾性ケース４９は、図５（ａ）及び図６に示すように、シリコンゴム等の弾性と耐熱性とを有する材料で半筒形状に形成される。弾性ケース４９は、ストロボパネル４２及びストロボベース４４にそれぞれ形成された溝に嵌め込まれて固定され、半筒形状の内周側を閃光放電管４０の電極部４０ａに向けて当該電極部４０ａと隙間４８ａ，４８ｂとの間を遮るように配置される。これにより、隙間４８ａ，４８ｂから侵入した静電気が閃光放電管４０の電極部４０ａに到達するのを防ぐことができる。また、弾性ケース４９の半筒形状の内周側に非導電性の弾性接着剤５０を充填して閃光放電管４０の電極部４０ａが密閉されている。これにより弾性ケース４９の端部開口側から静電気が侵入するのを防ぐことができる。
【００３６】
ここで、弾性ケース４９は、半筒形状で弾性を有するため、電極部４０ａにリード線を半田付けした閃光放電管４０とリフレクタ４１とがストロボパネル４２に組み付けられた状態でストロボパネル４２及びストロボベース４４に容易に組み付けることができる。
【００３７】
また、弾性ケース４９は、耐熱性を有する部材で形成されるため、弾性ケース４９を組み込んだ後に、閃光放電管４０の電極部４０ａにリード線４５ａ，４５ｂを半田付けすることもできる。
【００３８】
さらに、弾性接着剤５０は、半筒形状の弾性ケース４９の内周側に充填されるため、適量に管理することが容易であり、閃光放電管４０の電極部４０ａを覆った弾性接着剤５０の厚みを一定に保ち、静電気耐性を安定させることができる。
【００３９】
以下、図７および図８を参照して、本発明の第２の実施形態の主な構成について説明する。
【００４０】
なお、本第２の実施形態に係る撮像装置は、ストロボ内部の半田部保護のための遮蔽構造以外は、図１〜図６を参照して説明した第１の実施形態のストロボ装置が搭載されたデジタル一眼レフカメラと同じ構成を有するため、同じ構成要素には同じ符号を付してその説明を省略し、第１の実施形態と相違する点を説明する。
【００４１】
第１の実施形態では、閃光放電管４０の電極部４０ａと隙間４８ａ，４８ｂとの間を遮る遮蔽部材として、ストロボパネル４２とは別部材の非導電性の弾性ケース４９を用いていた。
【００４２】
それに対し本実施形態では、図７および図８に示すように、閃光放電管４０の電極部４０ａ半田保護のための遮蔽部材として、別部材でなく、非導電性のストロボパネル４２と一体の遮蔽部４２ａを設けている。
【００４３】
半田部保護の遮蔽部４２ａがストロボパネル４２と一体に設けられることで、部品数削減によるコスト削減が可能なだけでなく、ストロボパネル４２と閃光放電管４０とリフレクタ４１と弾性部材４３とストロボベース４４との組み付け作業を簡略化することができる。
【００４４】
また、弾性接着剤５０は、ストロボパネル４２の遮蔽部４２ａの内周側に充填されるため、適量に管理することが容易であり、閃光放電管４０の電極部４０ａを覆った弾性接着剤５０の厚みを一定に保ち、静電気耐性を安定させることができる。
【００４５】
上述の第１及び第２の実施形態では、ストロボ装置３３の組立性に優れ、かつリード線４５ａ，４５ｂと閃光放電管４０の電極部４０ａとの半田部を静電気から安定して保護する仕組みを提供することができる。
【符号の説明】
【００４６】
３３  ストロボ装置
４０  閃光放電管
４１  リフレクタ
４２  ストロボパネル
４４  ストロボベース
４５ａ，４５ｂ  リード線
４７  ストロボカバー
４８ａ，４８ｂ  隙間
４９  弾性ケース
５０  弾性接着剤
【図１】
2015092230.tif 000003
【図２】
2015092230.tif 000004
【図３】
2015092230.tif 000005
【図４】
2015092230.tif 000006
【図５】
2015092230.tif 000007
【図６】
2015092230.tif 000008
【図７】
2015092230.tif 000009
【図８】
2015092230.tif 000010